(57)【要約】【課題】  き出しとして使用する場合、ロック機構が解除されて踏み板が展開しない引出し兼踏み台の提供。【解決手段】  収納箱１５の内部を隠蔽する前面板１５ａと、踏み板１２と、板状の脚板１３とが丁番１４によりヒンジ結合で三重構造に折り畳むことができ、踏み台としての利用時、踏み板１２が略水平状態を保持することができる引出し兼踏み台において、踏み板スットッパー部１１ｂと把手部１１ａとを有する長尺物の把手兼踏み板スットッパー１１を備え、把手兼踏み板スットッパー１１は、前面板１５ａと踏み板１２と脚板１３とが折り畳まれた場合、踏み板スットッパー部１１ｂにより固定され把手部１１ａにより収納箱１５を開閉操作するものである。【選択図】図１
2006061335.tif 000002
【特許請求の範囲】
【請求項１】
収納箱の内部を隠蔽する前面板と、踏み板と、板状の脚板とがヒンジ結合で三重構造に折り畳むことができ、踏み台としての利用時、踏み板が略水平状態を保持することができる引出し兼踏み台において、
踏み板スットッパー部と把手部とを有する長尺物の把手兼踏み板スットッパーを備え、該把手兼踏み板スットッパーは、踏み台としての利用時、前記前面板と前記踏み板と前記脚板とが前記踏み板スットッパー部により固定され、前記把手部により収納箱を開閉操作する引出し兼踏み台。
【請求項２】
前記把手兼踏み板スットッパー部は、略コ字状を有し、前記前面板と前記踏み板と前記脚板とが折り畳まれた場合、該略コ字状の凹部に前記前面板、前記踏み板及び前記脚板の上部を固定することを特徴とする請求項１記載の引出し兼踏み台。
【発明の詳細な説明】
【技術分野】
【０００１】
本発明は、洗面台等における引出し兼踏み台に関するものである。
【背景技術】
【０００２】
従来からの洗面台や家具等における引出し兼踏み台は、特開２００４−９７２８５号公報に記載されているものがある。この引出し兼踏み台１０１は、家具本体における収納部１１２の内部を隠蔽するパネルの少なくとも一部が、前面板１１３と踏み板１１２との二重構造で構成されると共に、少なくとも踏み板１１２は家具本体に対してヒンジ結合され、前面板１１３側へ折り畳むことができるようになっており、踏み台としての利用時略水平状態を保持できるようになっており、キッチンカウンタや食器棚、もしくは書類用収納棚など家具自体の外見上の形状を損なうことなく、また極めて容易に踏み台を用意でき、かつ収納できる引出し兼踏み台を提供するものである。
【０００３】
しかしながら、引出し兼踏み台１０１を引き出しとして利用する場合、ロック機構によっては、前面板１１３と踏み板１１２とをロックしているロック機構１３０が解け、前面板１１３が枢軸１０を中心として展開する場合があった。
【特許文献１】特開２００４−９７２８５号公報
【発明の開示】
【発明が解決しようとする課題】
【０００４】
本願発明は、上記背景技術に鑑みて発明されたものであり、その課題は、引き出しとして利用する場合、ロック機構が解除されて踏み板が展開しない引出し兼踏み台を提供することである。
【課題を解決するための手段】
【０００５】
上記課題を解決するために、本願発明は、収納箱の内部を隠蔽する前面板と該前面板と、踏み板と、板状の脚板とがヒンジ結合で三重構造に折り畳むことができ、踏み台としての利用時、踏み板が略水平状態を保持することができる引出し兼踏み台において、踏み板スットッパーと把手とを有する把手兼踏み板スットッパーを備え、踏み台としての利用時、前記前面板と前記踏み板と前記脚板とが前記踏み板スットッパー部により固定され、把手により収納箱を移動することができる。
【０００６】
また、前記把手兼踏み板スットッパー部は、略コ字状を有し、前記前面板と前記踏み板と前記脚板とが折り畳まれた場合、該略コ字状の凹部に前記前面板、前記踏み板及び前記脚板の上部を固定することが好ましい。
【発明の効果】
【０００７】
本願発明の引出し兼踏み台によれば、把手兼踏み板スットッパーが前面板、踏み板及び脚板の上部を固定するので、踏み板が展開しにくくなる。
がなくなる。
【発明を実施するための最良の形態】
【０００８】
本願の一実施形態の引出し兼踏み台を図１から図４に基づいて説明する。図１は洗面化粧台２に設けられた一実施形態に係る引出し兼踏み台１の斜視図、図２（ａ）は同上の引出し兼踏み台１の側面図、（ｂ）は同上の斜視図、図３は同上の動作説明図、図４（ａ）は踏み台と使用する場合の側面図、（ｂ）は同上の斜視図である。このものは、収納箱１５の内部を隠蔽する前面板１５ａと、踏み板１２と、板状の脚板１３とが丁番１４によりヒンジ結合で三重構造に折り畳むことができ、踏み台としての利用時、踏み板１２が略水平状態を保持することができる引出し兼踏み台において、踏み板スットッパー部１１ｂと把手部１１ａとを有する長尺物の把手兼踏み板スットッパー１１を備え、把手兼踏み板スットッパー１１は、踏み台としての利用時、前面板１５ａと踏み板１２と脚板１３とが踏み板スットッパー部１１ｂにより固定され把手部１１ａにより収納箱１５を開閉操作するものである。
【０００９】
洗面化粧台２は、キャビネット３と収納棚４とミラーキャビネット５と連結部材６を備えている。キャビネット３は、例えば、その上面に設置固定されたカウンター３３と、このカウンター３３より低い位置の上面略全域にわたる大きさの洗面ボール３４とが一体に形成されている、また、その上面には、シャワー３５とカラン３６を備えている。また、キャビネット３の前面には、開き戸３１が設けられ、内部に収納物を収納することができる。また、引出し兼踏み台１と引出し３２が引出し可能に収納されている。
【００１０】
引出し兼踏み台１は、図２に示すように、収納物を収納する収納箱１５と、収納箱１５の前端に取り付けられた四角形状の前面板１５ａと、前面板１５ａの前面下方に取り付けられた丁番１４を介して四角形状の踏み板１２が屈曲自在に連結されている。そして、踏み板１２の前面上端に取り付けられた丁番１４を介して四角形状の脚板１３が屈曲自在に連結されている。また、前面板１５ａの上部に取り付けられた丁番１４を介して後術する把手兼踏み板スットッパー１１が屈曲自在に連結されている。
【００１１】
把手兼踏み板スットッパー１１は、引出し兼踏み台１を開閉操作する把手部１１ａと、略コ字状の踏み板スットッパー部１１ｂと、を有する長尺物であり、踏み板スットッパー部１１ｂは、丁番１４によりヒンジ部１１ｃと前面板１５ａの上部が屈曲自在に連結されている。この踏み板スットッパー部１１ｂの凹部は、前面板１５ａ、踏み板１２及び脚板１３が折り畳まれた状態でそれらの厚みに対応した大きさになっている。また、把手部１１ａは、ヒンジ部１１ｃと対向する側より立設されている。
【００１２】
引出し兼踏み台１を引出しとして利用する場合は、図２に示すように、前面板１５ａと、踏み板１２と、脚板１３と、が丁番１４によりヒンジ結合で三重構造に折り畳まれた状態で踏み板スットッパー部１１ｂとヒンジ部１１ｃとの間の凹部により固定される。
【００１３】
また、引出し兼踏み台１を踏み台としての利用する場合は、図３、図４に示すように、把手兼踏み板スットッパーは、上述した状態から図３に示す矢印の方向に移動ささせ、踏み板スットッパー部１１ｂが前面板１５ａの上部が接触するようにする。この状態で、踏み板１２が略水平状態を保持するように踏み板１２と脚板１３と前面板１５ａとを展開させる。
【００１４】
収納棚４は、ミラーキャビネット５上に設けられた洗面用具などを収納する収納棚である。ミラーキャビネット５は、例えば、枠材前方に固着された３枚構成の板状の鏡の上部には、この鏡の前方を照射するよう設けられた蛍光灯点灯装置を備えている。
【００１５】
連結部材６は、上記ミラーキャビネット５設置位置の高さ調節が調節できるもので、この場合、図示はしないが、木材による角材を四角状に組み合わせた連結枠と、この連結枠に装着される合成樹脂製で板状のカバー体とを備えている。このカバー体の両側には、前記連結枠の縦枠に形成されている固着孔に挿入されて、前記カバー体を着脱自在とする固着突起が、その背面側に複数突設されている。また、前記連結枠の横枠には、その裏面側に配線の配設される配線溝が刻設されている。
【００１６】
このように構成された洗面化粧台２は、把手兼踏み板スットッパー１１が前面板１５ａ、踏み板１２及び脚板１２の上部を固定するので、踏み板１２が展開しにくくなる。なお、引出し兼踏み台１は、実施形態として洗面化粧台２に設けられているが、家具における収納部として設けても良い。なお、把手兼踏み板スットッパー１１の大きさは、操作性を考慮して適宜決めればよい。なお、キャビネット３は、引出し兼踏み台１と開き戸３１とを設けているが、開き戸３１を取り外し、引出し兼踏み台１をキャビネット３の全面に取り付けても良く、開き戸３１を取り付けるかどうかは適宜決めればよい。
【図面の簡単な説明】
【００１７】
【図１】本願発明の一実施形態に係る洗面化粧台に設けられた引出し兼踏み台の斜視図である。
【図２】（ａ）は同上の引出しとして使用する場合の側面図、（ｂ）は同上の斜視図である。
【図３】同上の図を説明するための側面図である。
【図４】（ａ）は同上の踏み台として使用する場合の側面図、（ｂ）は同上の斜視図である。
【図５】（ａ）は特開２００４−９７２８５号公報に記載された踏み台の踏み台部が引出しの前面板に格納された状態の斜視図、（ｂ）は同上の踏み板が展開された状態を示す引出しの斜視図である。
【符号の説明】
【００１８】
１      引出し兼踏み台
１１    把手兼踏み板スットッパー
１１ａ  把手部
１１ｂ  踏み板スットッパー部
１２    踏み板
１３    脚板
１４    丁番
１５    収納箱
１５ａ  前面板
【図１】
2006061335.tif 000003
【図２】
2006061335.tif 000004
【図３】
2006061335.tif 000005
【図４】
2006061335.tif 000006
【図５】
2006061335.tif 000007